(57)【要約】      （修正有）【課題】商品陳列体の吊り下げバーに簡単に吊り下げたり、吊り下げバーから簡単に取り外したりすることができる商品吊り下げケースを提供する。【解決手段】商品吊り下げケース１０のケース本体１２は箱状に形成されている。ケース本体１２を構成する背面板１６は背面板シート１６Ａの中間部に形成した折曲線１６Ｂで折り曲げることにより設けられた第１背面板部１６Ｃと第２背面板部１６Ｄを重ね合わせることにより形成されている。また、ケース本体１２を構成する正面板１４には切欠部２８が形成され、ケース本体１２に収容した商品の一部を外からでも見ることができるようになっている。また、前記背面板１６の上端部にはプラスチックで形成されたフック体３０が回動可能に取り付けられている。【選択図】図１
0003117164.tif 000002
【実用新案登録請求の範囲】
【請求項１】
箱状に形成されたケース本体と、このケース本体を構成する正面板に切り欠き形成された切欠部と、前記ケース本体を構成する背面板と、この背面板の上端部に回動可能に取り付けられたフック体と、を有してなることを特徴とする商品吊り下げケース。
【請求項２】
箱状に形成されたケース本体と、このケース本体を構成する正面板に切り欠き形成された切欠部と、前記ケース本体を構成すると共に背面板シートを重ねて形成された背面板と、この背面板の上端部に回動可能に取り付けられたフック体と、を有してなることを特徴とする商品吊り下げケース。
【請求項３】
箱状に形成されたケース本体と、このケース本体を構成する正面板に切り欠き形成された切欠部と、前記ケース本体を構成すると共に背面板シートを折り曲げて形成された背面板と、この背面板の上端部に回動可能に取り付けられると共に合成樹脂材で形成されたフック体と、このフック体に形成された鉤状のフック部と、を有してなることを特徴とする商品吊り下げケース。
【考案の詳細な説明】
【技術分野】
【０００１】
本考案は、財布等の各種商品を商品陳列体に吊り下げて陳列する場合に使用される商品吊り下げケースに関する。
【背景技術】
【０００２】
財布や小銭入れ等の各種商品を販売する場合に前記商品を収容して商品陳列体の吊り下げバーに吊り下げて陳列販売する場合がある。
この際に使用される従来の商品吊り下げケースは、商品を収容するケース本体を構成する背面板に貫通孔が穿設され、この貫通孔に商品陳列体の吊り下げバーを挿入することにより前記商品吊り下げケースを吊り下げている。
このため、商品吊り下げケースを商品陳列体に吊り下げる場合は商品陳列体の吊り下げバーをケース本体の背面板に穿設された小さい貫通孔に挿入しなければならず面倒である。また、商品吊り下げケースを商品陳列体から取り外す場合は商品陳列体の吊り下げバーをケース本体の背面板に穿設された貫通孔から抜かなければならず面倒である。
【考案の開示】
【考案が解決しようとする課題】
【０００３】
本考案は、上記事実に鑑みなされたものであり商品陳列体の吊り下げバーに簡単に吊り下げたり、吊り下げバーから簡単に取り外したりすることができる商品吊り下げケースを提供するものである。
【課題を解決するための手段】
【０００４】
請求項１の考案は、箱状に形成されたケース本体と、このケース本体を構成する正面板に切り欠き形成された切欠部と、前記ケース本体を構成する背面板と、この背面板の上端部に回動可能に取り付けられたフック体と、を有してなることを特徴としている。
請求項２の考案は、箱状に形成されたケース本体と、このケース本体を構成する正面板に切り欠き形成された切欠部と、前記ケース本体を構成すると共に背面板シートを重ねて形成された背面板と、この背面板の上端部に回動可能に取り付けられたフック体と、を有してなることを特徴としている。
請求項３の考案は、箱状に形成されたケース本体と、このケース本体を構成する正面板に切り欠き形成された切欠部と、前記ケース本体を構成すると共に背面板シートを折り曲げて形成された背面板と、この背面板の上端部に回動可能に取り付けられると共に合成樹脂材で形成されたフック体と、このフック体に形成された鉤状のフック部と、を有してなることを特徴としている。
【考案の効果】
【０００５】
本考案は、ケース本体を構成する背面板にフック体を取り付けたので簡単に商品吊り下げケースを商品陳列体の吊り下げバーに簡単に吊り下げたり、吊り下げバーから簡単に取り外したりすることができるという優れた効果を有する。
また、本考案はケース本体を構成する正面板に切欠部を形成したのでケース本体の外からケース本体に収容されている商品の一部を確認することができるという優れた効果を有する。
請求項２及び請求項３の本考案は、前記優れた効果の他に背面板を背面板シートを重ねて形成にしたので背面板の強度を強くすることができるという優れた効果を有する。
【考案を実施するための最良の形態】
【０００６】
考案を実施するために最良の形態の例として以下のような実施例を示す。
【実施例１】
【０００７】
図１〜図３には本考案の商品吊り下げケースの一実施例が示されている。
図１に示されるように、この商品吊り下げケース１０のケース本体１２は厚紙で箱状に形成されている。このケース本体１２は正面板１４、背面板１６、底面板１８、第１側面板２０、第２側面板２２から形成されている。
なお、図１及び図２に示されるように前記背面板１６は背面板シート１６Ａの中間部に形成した折曲線１６Ｂで折り曲げることにより設けられた第１背面板部１６Ｃと第２背面板部１６Ｄを重ね合わて形成されている。
図２及び図３に形成されるように、前記背面板シート１６Ａには折曲線１６Ｂを挟んでフック体取付貫通孔２３が穿設されている。
図１に示されるように、前記ケース本体１２には底面板１８に対向して開口部２４が形成され、財布や小銭入れ等の商品（図示せず）を前記ケース本体１２に出し入れすることができるようになっている。また、前記正面板１４には切欠部２８が形成され、ケース本体１２に収容した財布や小銭入れ等の商品の一部を外からでも見ることができるようになっている。
図１及び図２に示されるように、前記背面板１６の上端部には合成樹脂材としてのプラスチックで平板状に形成されたフック体３０が回動可能（図１矢印方向に回動可能）に取り付けられている。
図２に示されるように、このフック体３０の下端部３０Ａには取付ピン３２が突設されている。この取付ピン３２は前記フック体取付貫通孔２３に挿入されるようになっており、これにより前記フック体３０は背面板１６に対して回動可能になっている。
また、前記フック体３０の下端部３０Ａには挟持帯部３４が形成され下端部３０Ａと前記背面板１６を挟めるようになっている。この挟持帯部３４には取付ピン嵌入孔３６が穿設され、前記取付ピン３２が嵌入されることにより背面板１６にフック体３０が取り付けられるようになっている。
図１に示されるように前記フック体３０の上端部３０Ｂには鉤状に曲がったフック部３８が形成され、商品陳列体（図示せず）の吊り下げバー４０に引っ掛けることができるようになっている。
【０００８】
次に実施例の商品吊り下げケース１０の作用について説明する。
この商品吊り下げケース１０を商品陳列体の吊り下げバー４０に吊り下げる場合は財布や小銭入れ等の商品をケース本体１２に収容してからフック体３０の鉤状のフック部３８を商品陳列体の吊り下げバー４０の上から掛ければ簡単に商品吊り下げケース１０を商品陳列体に吊り下げることができる。
また、前記商品吊り下げケース１０の背面板１６は、第１背面板部１６Ｃと第２背面板部１６Ｄを重ね合わせて形成しているので、前記背面板１６の強度は強くなりケース本体１２に比較的重い財布や小銭入れ等を収容しても財布や小銭入れの重さで背面板１６が破れたりするのを防止することができる。
なお、前記商品吊り下げケース１０の正面板１４には切欠部２８が形成されているので、財布や小銭入れ等の商品がケース本体１２に収容された状態でも前記商品の一部を見ることができ、商品の確認を外部から行うことができる。
前記商品吊り下げケース１０を商品陳列体の吊り下げバー４０から取り外す場合は商品吊り下げケース１０を少し上方に持ち上げるようにすれば簡単にフック体３０のフック部３８は商品陳列体の吊り下げバー４０から外れるので、簡単に商品吊り下げケース１０を商品陳列体から取り外すことができる。
従って、前記商品吊り下げケース１０は簡単に商品陳列体の吊り下げバー４０に吊り下げたり、吊り下げバー４０から取り外したりすることができる。
また、商品吊り下げケース１０のフック体３０は回動可能に設けられているので、フック体３０を商品陳列体の吊り下げバー４０に掛け難いときはフック体３０を回動してフック体３０の位置を調節し、フック体３０を吊り下げバー４０に掛け易くすることができる。
【０００９】
なお、実施例の前記商品吊り下げケース１０においてはケース本体１２を紙で形成したが、前記ケース本体１２は紙以外で形成してもよいことは勿論である。
また、実施例では商品吊り下げケース１０のケース本体１２に財布や小銭入れ等の商品を収容する場合を例にして説明したが、ケース本体１２に収容する商品は財布や小銭入れに限定されるものでないことは勿論である。
【図面の簡単な説明】
【００１０】
【図１】実施例の商品吊り下げケースの使用状態を示す全体斜視図である。
【図２】実施例のフック体を取り外した商品吊り下げケースの斜視図である。
【図３】実施例の商品吊り下げケースのケース本体の展開図である。
【符号の説明】
【００１１】
１０    商品吊り下げケース
１２    ケース本体
１４    正面板
１６    背面板
１６Ａ  背面板シート
１６Ｃ  第１背面板部
１６Ｄ  第２背面板部
１８    底面板
２０    第１側面板
２２    第２側面板
２４    開口部
２８    切欠部
３０    フック体
３８    フック部
【図１】
0003117164.tif 000003
【図２】
0003117164.tif 000004
【図３】
0003117164.tif 000005